(57)【要約】【課題】意匠性及び機能性に優れた加飾シート及び表示装置を提供する。【解決手段】加飾シート８０であって、背面側から入射された可視光を正面側に第１画像光として出射することにより、第１意匠を生成する第１意匠層４０と、背面側から入射された不可視光を吸収して、正面側に第２画像光を放出することにより、第２意匠を生成する第２意匠層５０と、を有し、第１意匠層４０は、可視光を透過する、又は、可視光の一部の波長領域の光を吸収する第１意匠生成部４２を有し、第２意匠層５０は、特定波長の不可視光を吸収して可視光を放出する第２意匠生成部５２を有する。【選択図】図３
2020154047.tif 000002
【特許請求の範囲】
【請求項１】
背面側から入射された可視光を正面側に第１画像光として出射することにより、第１意匠を生成する第１意匠層と、
背面側から入射された不可視光を吸収して、正面側に第２画像光を放出することにより、第２意匠を生成する第２意匠層と、を有し、
前記第１意匠層は、可視光を透過する、又は、可視光の一部の波長領域の光を吸収する第１意匠生成部を有し、
前記第２意匠層は、特定波長の不可視光を吸収して可視光を放出する第２意匠生成部を有する
加飾シート。
【請求項２】
請求項１に記載の加飾シートであって、
前記第１意匠層は、可視光を遮蔽する第１意匠非生成部を有する加飾シート。
【請求項３】
請求項２に記載の加飾シートであって、
前記第２意匠層は、前記第１意匠層の正面側に配置され、
前記第１意匠非生成部は、前記特定波長の不可視光を透過する
加飾シート。
【請求項４】
請求項３に記載の加飾シートであって、
前記第１意匠生成部は、前記特定波長の不可視光を透過する加飾シート。
【請求項５】
請求項１から４のいずれか１つに記載の加飾シートであって、
前記第１意匠生成部は、それぞれが異なる可視光の波長領域の光を吸収する複数の第１意匠生成部要素を有する加飾シート。
【請求項６】
請求項２に記載の加飾シートであって、
前記第２意匠生成部は、平面視において、前記第１意匠生成部の内側の領域内に含まれている加飾シート。
【請求項７】
請求項６に記載の加飾シートであって、
前記第１意匠生成部は、前記第１意匠非生成部の非形成部として構成され、
前記第２意匠生成部は、前記第１意匠非生成部の非形成部内に位置している
加飾シート。
【請求項８】
請求項１から７のいずれか１つに記載の加飾シートであって、
前記第２意匠生成部は、前記特定波長の不可視光を吸収してそれぞれが異なる分光分布の可視光を放出する複数の第２意匠生成部要素を有する加飾シート。
【請求項９】
請求項１から８のいずれか１つに記載の加飾シートであって、
前記第２意匠層の正面側に配置され、可視光を透過し前記特定波長の不可視光を吸収する光学調整層を有する加飾シート。
【請求項１０】
請求項１から９のいずれか１つに記載の加飾シートであって、
前記第１意匠層よりも正面側に配置され、基礎意匠が形成された、基礎意匠層を有し、
前記基礎意匠層は、前記第１画像光及び前記第２画像光を少なくとも観察可能な程度に透過させるものである
加飾シート。
【請求項１１】
請求項１０に記載の加飾シートであって、
前記基礎意匠層は、絵柄部と、前記絵柄部内に分散配置された光透過部と、を有する加飾シート。
【請求項１２】
可視光を中心とする第１分光分布を有する第１光源と、
不可視光を中心とし特定波長の不可視光を含む第２分光分布を有する第２光源と、
第１光源から発せられ背面側から入射された光を正面側に第１画像光として出射することにより、第１意匠を生成する第１意匠層と、
第２光源から発せられ背面側から入射された不可視光を吸収して、正面側に第２画像光を放出することにより、第２意匠を生成する第２意匠層と、を有し、
前記第１意匠層は、前記第１分光分布の光を透過する、又は、前記第１分光分布の光の一部の波長領域の光を吸収する第１意匠生成部を有し、
前記第２意匠層は、前記特定波長の不可視光を吸収して可視光を放出する第２意匠生成部を有する
表示装置。
【請求項１３】
請求項１２に記載の表示装置であって、
前記第１意匠層は、可視光を遮蔽する第１意匠非生成部を有する表示装置。
【請求項１４】
請求項１３に記載の表示装置であって、
前記第２意匠層は、前記第１意匠層の正面側に配置され、
前記第１意匠非生成部は、前記特定波長の不可視光を透過する
表示装置。
【請求項１５】
請求項１４に記載の表示装置であって、
前記第１意匠生成部は、前記特定波長の不可視光を透過する表示装置。
【請求項１６】
請求項１２から１５のいずれか１つに記載の表示装置であって、
前記第１意匠生成部は、それぞれが異なる可視光の波長領域の光を吸収する複数の第１意匠生成部要素を有する表示装置。
【請求項１７】
請求項１３に記載の表示装置であって、
前記第２意匠生成部は、平面視において、前記第１意匠生成部の内側の領域内に含まれている表示装置。
【請求項１８】
請求項１７に記載の表示装置であって、
前記第１意匠生成部は、前記第１意匠非生成部の非形成部として構成され、
前記第２意匠生成部は、前記第１意匠非生成部の非形成部内に位置している
表示装置。
【請求項１９】
請求項１２から１８のいずれか１つに記載の表示装置であって、
前記第２意匠生成部は、前記特定波長の不可視光を吸収してそれぞれが異なる分光分布の可視光を放出する複数の第２意匠生成部要素を有する表示装置。
【請求項２０】
請求項１２から１９のいずれか１つに記載の表示装置であって、
前記第２意匠層の正面側に配置され、可視光を透過し前記特定波長の不可視光を吸収する光学調整層を有する表示装置。
【請求項２１】
請求項１２から２０のいずれか１つに記載の表示装置であって、
前記第１意匠層よりも正面側に配置され、基礎意匠が形成された、基礎意匠層を有し、
前記基礎意匠層は、前記第１画像光及び前記第２画像光を少なくとも観察可能な程度に透過させるものである
表示装置。
【請求項２２】
請求項２１に記載の表示装置であって、
前記基礎意匠層は、絵柄部と、前記絵柄部内に分散配置された光透過部と、を有する表示装置。
【発明の詳細な説明】
【技術分野】
【０００１】
本発明は、加飾シート、及び、加飾シートを有する表示装置に関する。
【背景技術】
【０００２】
例えば特許文献１及び２に記載されているような、異なる意匠を切り替えて表示することのできる表示装置が知られている。このような表示装置は、波長の異なる２つの光源を有し、この２つの光源を切り替えて発光させることにより、表示される意匠を切り替えるものである。
【０００３】
また、現在、種々の分野に適用される表示装置に対し、単に画像を表示する機能が期待されているだけでなく、周囲環境との意匠性の調和も要求されている。例えば自動車や家具、住宅建材等の表面部材においては、意匠性が非常に重要視される。表示装置に意匠性を付与するために、表示装置の表示面に意匠性を有するパネル等を設けることが考えられている。このような意匠性を有するパネルは、特許文献３に記載されているように、表示装置の画像光を透過する孔等の光透過部を有している。
【先行技術文献】
【特許文献】
【０００４】
【特許文献１】特開２００８−２３３３４４号公報
【特許文献２】特開２０１５−０１１２０２号公報
【特許文献３】特開２０１２−０８３５８９号公報
【発明の概要】
【発明が解決しようとする課題】
【０００５】
特許文献１及び２の表示装置には、表示する意匠の色の組み合わせに制限があるという問題が存在する。具体的には、特許文献１の表示装置では、異なる意匠に同一の波長を含む色を用いることが困難であり、特許文献２の表示装置では、一方の意匠に青色の波長を含む色を用いることが困難であるとともに、外部からの青色光の侵入を防ぐために、その表示面にスモークを設ける必要がある。
【０００６】
本発明は、上記の点に鑑み、表示する意匠の色の組み合わせに制限がなく、意匠性及び機能性に優れた加飾シート及び表示装置を提供することを課題とする。
【課題を解決するための手段】
【０００７】
上記課題を解決するために、本発明の加飾シートは、背面側から入射された可視光を正面側に第１画像光として出射することにより、第１意匠を生成する第１意匠層と、背面側から入射された不可視光を吸収して、正面側に第２画像光を放出することにより、第２意匠を生成する第２意匠層と、を有し、前記第１意匠層は、可視光を透過する、又は、可視光の一部の波長領域の光を吸収する第１意匠生成部を有し、前記第２意匠層は、特定波長の不可視光を吸収して可視光を放出する第２意匠生成部を有する。前記第１意匠層は、可視光を遮蔽する第１意匠非生成部を有してもよい。
【０００８】
また、本発明の加飾シートは、前記第２意匠層が、前記第１意匠層の正面側に配置され、前記第１意匠非生成部が、前記特定波長の不可視光を透過するものであってもよい。前記第１意匠生成部は、前記特定波長の不可視光を透過してもよい。前記第１意匠生成部は、それぞれが異なる可視光の波長領域の光を吸収する複数の第１意匠生成部要素を有してもよい。
【０００９】
また、本発明の加飾シートは、前記第２意匠生成部が、平面視において、前記第１意匠生成部の内側の領域内に含まれているものであってもよい。前記第１意匠生成部は、前記第１意匠非生成部の非形成部として構成され、前記第２意匠生成部は、前記第１意匠非生成部の非形成部内に位置していてもよい。
【００１０】
また、本発明の加飾シートは、前記第２意匠生成部が、前記特定波長の不可視光を吸収してそれぞれが異なる分光分布の可視光を放出する複数の第２意匠生成部要素を有するものであってもよい。前記加飾シートは、前記第２意匠層の正面側に配置され、可視光を透過し前記特定波長の不可視光を吸収する光学調整層を有してもよい。前記加飾シートは、前記第１意匠層よりも正面側に配置され、基礎意匠が形成された、基礎意匠層を有し、前記基礎意匠層は、前記第１画像光及び前記第２画像光を少なくとも観察可能な程度に透過させるものであってもよい。前記基礎意匠層は、絵柄部と、前記絵柄部内に分散配置された光透過部と、を有していてもよい。
【００１１】
本発明の表示装置は、可視光を中心とする第１分光分布を有する第１光源と、不可視光を中心とし特定波長の不可視光を含む第２分光分布を有する第２光源と、第１光源から発せられ背面側から入射された光を正面側に第１画像光として出射することにより、第１意匠を生成する第１意匠層と、第２光源から発せられ背面側から入射された不可視光を吸収して、正面側に第２画像光を放出することにより、第２意匠を生成する第２意匠層と、を有し、前記第１意匠層は、前記第１分光分布の光を透過する、又は、前記第１分光分布の光の一部の波長領域の光を吸収する第１意匠生成部を有し、前記第２意匠層は、前記特定波長の不可視光を吸収して可視光を放出する第２意匠生成部を有する。前記第１意匠層は、可視光を遮蔽する第１意匠非生成部を有してもよい。
【００１２】
また、本発明の表示装置は、前記第２意匠層が、前記第１意匠層の正面側に配置され、前記第１意匠非生成部が、前記特定波長の不可視光を透過するものであってもよい。前記第１意匠生成部は、前記特定波長の不可視光を透過してもよい。前記第１意匠生成部は、それぞれが異なる可視光の波長領域の光を吸収する複数の第１意匠生成部要素を有してもよい。
【００１３】
また、本発明の表示装置は、前記第２意匠生成部が、平面視において、前記第１意匠生成部の内側の領域内に含まれているものであってもよい。前記第１意匠生成部は、前記第１意匠非生成部の非形成部として構成され、前記第２意匠生成部は、前記第１意匠非生成部の非形成部内に位置していてもよい。
【００１４】
また、本発明の表示装置は、前記第２意匠生成部が、前記特定波長の不可視光を吸収してそれぞれが異なる分光分布の可視光を放出する複数の第２意匠生成部要素を有するものであってもよい。前記表示装置は、前記第２意匠層の正面側に配置され、可視光を透過し前記特定波長の不可視光を吸収する光学調整層を有してもよい。前記表示装置は、前記第１意匠層よりも正面側に配置され、基礎意匠が形成された、基礎意匠層を有し、前記基礎意匠層は、前記第１画像光及び前記第２画像光を少なくとも観察可能な程度に透過させるものであってもよい。前記基礎意匠層は、絵柄部と、前記絵柄部内に分散配置された光透過部と、を有していてもよい。
【発明の効果】
【００１５】
本発明によれば、加飾シート及び表示装置を意匠性及び機能性に優れたものとすることが可能である。
【図面の簡単な説明】
【００１６】
【図１】本実施形態の表示装置を概略的に示す斜視図である。
【図２Ａ】本実施形態の表示装置の表示パターンを示す平面図である。
【図２Ｂ】本実施形態の表示装置の表示パターンを示す平面図である。
【図２Ｃ】本実施形態の表示装置の表示パターンを示す平面図である。
【図２Ｄ】本実施形態の表示装置の表示パターンを示す平面図である。
【図３】本実施形態の表示装置を概略的に示す分解斜視図である。
【図４】本実施形態の表示装置の第１意匠層を示す縦断面図であり、図３のＡ−Ａ断面を示している。
【図５】本実施形態の表示装置の第２意匠層を示す縦断面図であり、図３のＢ−Ｂ断面を示している。
【図６】第１意匠層及び第２意匠層の別の構成例を示す縦断面図であり、図３のＢ−Ｂ断面及びＢａ−Ｂａ断面に対応する領域を示している。
【図７】第１意匠層及び第２意匠層の別の構成例を示す縦断面図であり、図３のＢ−Ｂ断面及びＢａ−Ｂａ断面に対応する領域を示している。
【図８】第１意匠層及び第２意匠層の別の構成例を示す縦断面図であり、図３のＢ−Ｂ断面及びＢａ−Ｂａ断面に対応する領域を示している。
【図９】第１意匠層及び第２意匠層の別の構成例を示す縦断面図であり、図３のＢ−Ｂ断面及びＢａ−Ｂａ断面に対応する領域を示している。
【図１０】本実施形態の表示装置の基礎意匠層及び光学調整層を示す平面図である。
【図１１】本実施形態の表示装置の基礎意匠層及び光学調整層を示す縦断面図であり、図１０のＣ−Ｃ断面を示している。
【図１２】基礎意匠層及び光学調整層の別の構成例を示す縦断面図であり、図１０のＣ−Ｃ断面を示している。
【図１３】基礎意匠層及び光学調整層の別の構成例を示す縦断面図であり、図１０のＣ−Ｃ断面を示している。
【図１４】変形例の表示装置を概略的に示す斜視図である。
【図１５Ａ】変形例の表示装置の表示パターンを示す平面図である。
【図１５Ｂ】変形例の表示装置の表示パターンを示す平面図である。
【図１５Ｃ】変形例の表示装置の表示パターンを示す平面図である。
【図１５Ｄ】変形例の表示装置の表示パターンを示す平面図である。
【図１６】変形例の表示装置を概略的に示す分解斜視図である。
【図１７】変形例の表示装置の第１意匠層及び第２意匠層を示す縦断面図であり、図１６のＤ−Ｄ断面を示している。
【発明を実施するための形態】
【００１７】
以下、図面を参照して本発明の実施形態の一例（以下、「本実施形態」という。）について説明する。なお、本件明細書に添付する図面においては、図示と理解のしやすさの便宜上、適宜縮尺及び縦横の寸法比等を、実物のそれらから変更し誇張してある。
【００１８】
なお、本明細書において、「層」、「シート」及び「フィルム」の用語は、呼称の違いのみに基づいて互いから区別されるものではない。例えば「シート」という用語は、層或いはフィルムと呼ばれ得るような部材も含む概念である。
【００１９】
また、本明細書において用いる、形状や幾何学的条件及び物理的性質並びにそれらの程度を特定する、例えば、「平行」、「直交」、「同一」、「透過」等の用語や長さや角度の値等については、厳密な意味に縛られることなく、同様の機能を期待し得る程度の範囲を含めて解釈することとする。
【００２０】
図１は、本実施形態の表示装置１０を概略的に示す斜視図である。
【００２１】
表示装置１０は、第１の光源２１（以下、「第１光源」という。）と、第２の光源２２（以下、「第２光源」という。）と、導光板３０と、加飾シート８０と、表示面１０ａと、を備えている。この表示装置１０は、第１光源２１及び第２光源２２のＯＮ及びＯＦＦの組合せに応じて、その表示面１０ａに、任意の色パターンを有する異なる意匠を切り替えて表示することができるものとなっている。
【００２２】
図１を含む以下の図中及び説明において、理解を容易にするために、表示装置１０の表示面１０ａに平行であって互いに直交する２方向をＸ方向及びＹ方向とし、表示装置１０の表示面１０ａに直交する方向、つまり、Ｘ方向及びＹ方向と直交する方向をＺ方向とする。Ｘ方向は、図１の左右方向であり、右方向を＋Ｘ方向とし、左方向を−Ｘ方向とする。Ｙ方向は、図１の手前奥方向であり、手前から奥の方向を＋Ｙ方向とし、奥から手前の方向を−Ｙ方向とする。Ｚ方向は、図１の上下方向であり、上方を＋Ｚ方向とし、下方を−Ｚ方向とする。また、以下の説明において、Ｚ方向を垂直方向又は縦方向といい、ＸＹ面の面内方向を水平方向又は横方向といい、ＸＹ平面を水平面又は基準面ということもある。また、表示装置１０の表示面１０ａ側を正面側とし、その反対側を背面側とする。
【００２３】
図２Ａから図２Ｄは、本実施形態の表示装置１０の表示パターンを示す平面図である。
【００２４】
図２Ａに示すように、第１光源２１及び第２光源２２がともにＯＦＦのときは、表示装置１０の表示パターンは、任意の色パターンを有する基礎的な意匠Ｄ０（以下、「基礎意匠」という。）のみが表示されたものとなる。この基礎意匠Ｄ０は、第１光源２１及び第２光源２２がＯＦＦのとき、つまり、表示装置１０がＯＦＦのときにおいても観察される意匠であり、表示装置１０の周辺環境に調和したものであることが好ましい。この基礎意匠Ｄ０としては、例えば、木目調、大理石調、幾何学模様、カーボン調、ストライプ、水玉、単色などが考えられる。
【００２５】
図２Ｂに示すように、第１光源２１がＯＮで第２光源２２がＯＦＦのときは、表示装置１０の表示パターンは、基礎意匠Ｄ０の上に、任意の色パターンを有する第１の意匠Ｄ１（以下、「第１意匠」という。）が表示されたものとなる。
【００２６】
図２Ｃに示すように、第１光源２１がＯＦＦで第２光源２２がＯＮのときは、表示装置１０の表示パターンは、基礎意匠Ｄ０の上に、任意の色パターンを有する第２の意匠Ｄ２（以下、「第２意匠」という。）が表示されたものとなる。この第２意匠Ｄ２の色パターンは、第１意匠Ｄ１の色パターンにより制限されない。また、第１意匠Ｄ１の色パターンも、第２意匠Ｄ２の色パターンに制限されない。
【００２７】
図２Ｄに示すように、第１光源２１及び第２光源２２がともにＯＮのときは、表示装置１０の表示パターンは、基礎意匠Ｄ０の上に、第１意匠Ｄ１及び第２意匠Ｄ２が表示されたものとなる。
【００２８】
このように、本実施形態の表示装置１０は、基礎意匠Ｄ０の上に、第１意匠Ｄ１及び第２意匠Ｄ２の一方を表示したり、第１意匠Ｄ１及び第２意匠Ｄ２を合わせて表示したりすることができるようになっている。そして、第１意匠Ｄ１及び第２意匠Ｄ２の色パターンは、互いに制限されずに、それぞれ独立して任意に設定することができる。以下において、このような表示装置１０の構成の詳細について説明する。
【００２９】
図３は、本実施形態の表示装置１０を概略的に示す分解斜視図である。
【００３０】
第１光源２１は、可視光の波長領域を中心とする第１の分光分布（以下、「第１分光分布」という。）を有する光源である。第１分光分布としては、第１意匠Ｄ１の色パターンに応じて任意の分光分布を選択することができる。ただし、第１意匠Ｄ１の色パターンの多様性の観点からは、可視光のすべての波長領域を含む白色光であることが好ましい。白色光は、例えばＲ、Ｇ及びＢなどの複数の波長ピークを有するものであってもよい。
【００３１】
第２光源２２は、不可視光の波長領域を中心とする第２の分光分布（以下、「第２分光分布」という。）を有する光源である。第２分光分布は、後述の第２意匠層５０の第２意匠生成部５２が可視光を放出するために吸収する特定波長の不可視光を含むものとする必要がある。この第２分光分布は、第２意匠生成部５２の材料に応じて、紫外線又は近赤外線の波長領域を有する分光分布を選択することができる。
【００３２】
第１光源２１の第１分光分布は、不可視光を含むものであってもよいが、後述の第２意匠層５０の第２意匠生成部５２が可視光を放出するために吸収する特定波長の不可視光が含まれないものである必要がある。また、第２光源２２の第２分光分布は、可視光を含まないものであることが好ましい。
【００３３】
第１光源２１及び第２光源は、第１分光分布又は第２分光分布を有する光を発することができるものであればよく、例えば、ＬＥＤ又は蛍光ランプなどにより構成される。ただし、分光分布の設計の容易性、占有スペース、消費電力及び寿命などの観点から、第１光源２１及び第２光源２２は、ＬＥＤであることが好ましい。
【００３４】
導光板３０は、基準面（つまり、ＸＹ平面）に平行な板面を有し、その端面から入射した光をその正面側の板面から均一に出射させる板状の部材である。第１光源２１又は第２光源２２から発せられた光は、導光板３０の端面に入射して、導光板３０の正面側の板面から均一に出射することになる。つまり、導光板３０は、第１光源２１及び第２光源２２とともに、面光源を構成している。
【００３５】
なお、図示された表示装置１０は、導光板３０とその端面付近に配置された第１光源２１及び第２光源２２によって面光源を構成しているが、本発明の表示装置１０は、このようなものに限定されない。本発明の表示装置１０は、基準面（つまり、ＸＹ平面）上に配列された第１光源２１及び第２光源２２と、その正面側に配置された拡散板と、によって面光源を構成したものであってもよい。また、第１意匠Ｄ１及び第２意匠Ｄ２の大きさ及び配置によっては、表示装置１０は、導光板３０又は拡散板などを有さないものであってもよい。
【００３６】
加飾シート８０は、基準面（つまり、ＸＹ平面）に平行なシート面を有するシート状の部材であり、導光板３０の正面側に配置される。この加飾シート８０は、第１意匠Ｄ１を生成する第１意匠層４０と、第２意匠Ｄ２を生成する第２意匠層５０と、基礎意匠Ｄ０が形成された基礎意匠層６０と、主に第２分光分布の光（不可視光を中心とする光）を吸収するための光学調整層７０と、を有している。そして、加飾シート８０の正面側の面が表示装置１０の表示面１０ａとなっている。図示された例では、第２意匠層５０は、第１意匠層４０の正面側に配置され、基礎意匠層６０は、第２意匠層５０の正面側に配置され、光学調整層７０は、基礎意匠層６０の正面側に配置されている。
【００３７】
図４は、本実施形態の表示装置１０の第１意匠層４０を示す縦断面図であり、図３のＡ−Ａ断面を示している。
【００３８】
第１意匠層４０は、第１光源２１から発せられ背面側から入射された第１分光分布の光（可視光を中心とする光）を、任意の色パターンを有する画像光（以下、「第１画像光」という。）として正面側に出射させることにより、第１意匠Ｄ１を生成するための層である。この第１意匠層４０は、フィルム状の基材部４１（以下、「第１基材部」という。）と、第１基材部４１に積層された第１意匠生成部４２及び第１意匠非生成部４３と、を有している。第１意匠生成部４２及び第１意匠非生成部４３は、図示された例では、第１基材部４１の正面側に積層されているが、第１基材部４１の背面側に積層されていてもよい。
【００３９】
第１基材部４１は、第１分光分布及び第２分光分布の光を透過するフィルム状の部材であり、第１基材部４１上に積層された第１意匠生成部４２及び第１意匠非生成部４３を適切に支持する。第１基材部４１としては、第１分光分布及び第２分光分布の光を透過し、第１意匠生成部４２及び第１意匠非生成部４３を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン、アクリロニトリル−ブタジエン−スチレン共重合体、メタクリル酸メチル−アクリロニトリル−ブタジエン−スチレン共重合体等を挙げることができる。なお、第１基材部４１は第１分光分布の光を透過させるものであるが、第１意匠Ｄ１の色パターンの多様性の観点からは、第１基材部４１は、可視光の全ての波長領域を透過させる透明なものであることが好ましい。また、第１基材部４１は、第２分光分布の光（不可視光を中心とする光）のうち、少なくとも、後述の第２意匠生成部５２が可視光を放出するために吸収する特定波長の不可視光を透過させるものであればよい。
【００４０】
第１意匠生成部４２は、第１分光分布の光（可視光を中心とする光）の一部の波長領域の光を吸収し、第２分光分布の光（不可視光を中心とする光）を透過させる部分である。このような第１意匠生成部４２は、例えば、公知の染料又は顔料などの着色剤を含むインクを第１基材部４１上にグラビア、フレキソ、スクリーン、インクジェット等など適宜の方法で印刷することにより形成される。また、第１意匠生成部４２は、第１分光分布の光（可視光を中心とする光）の全部を透過させるものであってもよい。このような第１意匠生成部４２は、例えば、インクの非印刷部である空間として、又は、可視光の全ての波長領域を透過させる透明なインクを印刷することにより形成される。
【００４１】
第１光源２１から発せられた第１分光分布の光（可視光を中心とする光）は、第１意匠層４０の第１意匠生成部４２を通過するとき、一部の波長領域の光が吸収される。そのため、第１光源２１から発せられて第１意匠層４０の第１意匠生成部４２を通過した光の分光分布、つまり、光の色は、第１分光分布と第１意匠生成部４２の吸光特性とにより決定される。一方、第２光源２２から発せられた第２分光分布の光（不可視光を中心とする光）は、第１意匠生成部４２で吸収されず、そのまま透過することになる。なお、第１意匠生成部４２は、第２分光分布の光（不可視光を中心とする光）のうち、少なくとも、後述の第２意匠層５０の第２意匠生成部５２が可視光を放出するために吸収する不可視光の特定波長を透過させるものであればよい。また、平面視において（つまり、Ｚ方向から見て）第１意匠生成部４２と後述の第２意匠生成部５２とが重ならない場合には、第１意匠生成部４２は、第２分光分布の光（不可視光を中心とする光）を透過しないものであってもよい。
【００４２】
図示された例では、第１意匠生成部４２は、２つの第１意匠生成部要素４２Ａ及び４２Ｂを有している。この２つの第１意匠生成部要素４２Ａ及び４２Ｂは、互いに異なる波長領域の光を吸収するように構成されている。つまり、第１意匠生成部要素４２Ａ及び４２Ｂは、互いに異なる吸光特性を有している。そのため、第１光源２１から発せられ第１意匠生成部４２を通過する第１分光分布の光（可視光を中心とする光）は、第１意匠生成部要素４２Ａ及び４２Ｂのそれぞれから互いに異なる色を有する光として出射することになる。このようにして出射された光が、第１意匠層４０からの第１画像光となる。
【００４３】
第１意匠非生成部４３は、第１分光分布の光（可視光を中心とする光）を遮蔽し、第２分光分布の光（不可視光を中心とする光）を透過させる部分である。このような第１意匠非生成部４３は、例えば、公知の赤外線透過黒色インキ又は紫外線透過黒色インキを第１基材部４１上に適宜の方法で印刷することにより形成される。また、例えば、第１意匠生成部４２が赤色を透過し、第１分光分布の光が赤色の場合、紫外線透過黒色インキの代わりに赤色を吸収し且つ青色から紫外光を透過するインキを用いることが考えられる。また、例えば、第１意匠生成部４２が青色を透過し、第１分光分布の光が青色の場合、赤外線透過黒色インキの代わりに、青色を吸収し且つ赤色から赤外光を透過するインキを用いることが考えられる。
【００４４】
第１光源２１から発せられた第１分光分布の光（可視光を中心とする光）は、第１意匠非生成部４３により遮蔽される。一方、第２光源２２から発せられた第２分光分布の光（不可視光を中心とする光）は、第１意匠非生成部４３で遮蔽されず、そのまま透過することになる。なお、第１意匠非生成部４３は、第２分光分布の光（不可視光を中心とする光）のうち、少なくとも、後述の第２意匠層５０の第２意匠生成部５２が可視光を放出するために吸収する特定波長の不可視光を透過させるものであればよい。
【００４５】
このように、第１意匠層４０は、互いに異なる吸光特性を有する複数の第１意匠生成部要素４２Ａ、４２Ｂからなる第１意匠生成部４２と、第１分光分布の光を遮蔽する第１意匠非生成部４３と、を適宜配置することにより、任意の色パターンを有する第１意匠Ｄ１を生成することができるものとなっている。
【００４６】
なお、本実施形態の第１意匠層４０は、第１意匠非生成部４３を有するものであるが、第１意匠Ｄ１が表示面１０ａの全面に亘る意匠となるような場合には、第１意匠非生成部４３を有さないものとすることができる。
【００４７】
図５は、本実施形態の表示装置１０の第２意匠層５０を示す縦断面図であり、図３のＢ−Ｂ断面を示している。
【００４８】
第２意匠層５０は、第２光源２２から発せられ背面側から入射された第２分光分布の光（不可視光を中心とする光）を、任意の色パターンを有する画像光（以下、「第２画像光」という。）として正面側に出射させることにより、第２意匠Ｄ２を生成するための層である。この第２意匠層５０は、フィルム状の基材部５１（以下、「第２基材部」という。）と、基材部５１上に積層された第２意匠生成部５２と、第２意匠生成部５２の非形成部である第２意匠非生成部５３と、を有している。第２意匠生成部５２は、図示された例では、第２基材部５１の正面側に積層されているが、第２基材部５１の背面側に積層されていてもよい。
【００４９】
第２基材部５１は、第１分光分布及び第２分光分布の光を透過するフィルム状の部材であり、第２基材部５１上に積層された第２意匠生成部５２を適切に支持する。第２基材部５１としては、第１分光分布及び第２分光分布の光を透過し、第２意匠生成部５２を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン、アクリロニトリル−スチレン−ブタジエン共重合体、メタクリル酸メチル−アクリロニトリル−ブタジエン−スチレン共重合体等を挙げることができる。なお、第２基材部５１は、第１分光分布の光（可視光を中心とする光）を透過させるものであるが、第１意匠Ｄ１の色パターンの多様性の観点からは、可視光の全ての波長領域を透過させる透明なものであることが好ましい。なお、第２基材部５１は、第２分光分布の光（不可視光を中心とする光）のうち、少なくとも、後述の第２意匠生成部５２が可視光を放出するために吸収する特定波長の不可視光を透過させるものであればよい。
【００５０】
また、図示された例とは異なり、第２基材部５１の背面側に第２意匠生成部５２を積層する場合には、第２基材部５１を、第１分光分布の光（可視光を中心とする光）及び第２意匠生成部５２から放出される可視光を透過し、第２分光分布の光（不可視光を中心とする光）を吸収するものとすることができる。このような構成は、第２分光分布の光（不可視光を中心とする光）の外部への漏れ、及び、外部からの不可視光の侵入が抑制されるという利点を有している。このような第２基材部５１は、後述の光学調整層７０を兼ねるものとすることができる。このような第２基材部５１は、例えば、公知の紫外線吸収剤、紫外線散乱剤、赤外線吸収剤又は赤外線反射剤が配合された透明のフィルムにより構成される。あるいは、第２基材部５１は、紫外線又は赤外線を反射する光学多層フィルムであってもよい。
【００５１】
第２意匠生成部５２は、第１分光分布の光（可視光を中心とする光）を透過させるとともに、第２分光分布の光（不可視光を中心とする光）に含まれる特定波長の不可視光を吸収して、特定の分光分布の可視光を放出する部分である。このような第２意匠生成部５２は、例えば、公知の蛍光インキを第２基材部５１上にグラビア、フレキソ、スクリーン、インクジェット等の適宜の方法で印刷することにより形成される。
【００５２】
第２意匠生成部５２が、紫外線を吸収して、特定の分光分布の可視光を放出するものである場合には、第２光源２２として、紫外線の波長領域を中心とする第２分光分布を有するものが用いられる。また、近年、量子ドットを用いて近赤外線を可視光に変換する材料の研究が進められている。第２意匠生成部５２の材料としてこのような材料を使用して、第２意匠生成部５２を、近赤外線を吸収して、特定の分光分布の可視光を放出するものとする場合には、第２光源２２として、近赤外線の波長領域を中心とする第２分光分布を有するものを用いることになる。
【００５３】
また、第２意匠生成部４２に、紫外線を吸収して特定の分光分布の可視光を放出する部分と、赤外線を吸収して特定の分光分布の可視光を放出する部分と、が共に設けられている場合には、第２光源２２として、紫外線の波長領域を中心とする分光分布を有する光源と、近赤外線の波長領域を中心とする分光分布を有する光源と、を有するものを用いてもよい。
【００５４】
第２意匠生成部５２は、第１分光分布の光（可視光を中心とする光）を透過させるものであるが、第１分光分布の光（可視光を中心とする光）の全てを透過させるものである必要はなく、第１意匠層４０からの第１画像光を透過させるものであればよい。ただし、第１意匠Ｄ１の色パターンの多様性の観点からは、第２意匠生成部５２は、第１分光分布の光（可視光を中心とする光）の全てを透過させるものであることが好ましく、さらには、可視光の全ての波長領域を透過させる透明なものであることがより好ましい。
【００５５】
第２光源２２から発せられた第２分光分布の光（不可視光を中心とする光）に含まれる特定波長の不可視光は、第２意匠層５０の第２意匠生成部５２を通過するとき、第２意匠生成部５２に吸収される。そして、その特定波長の不可視光を吸収した第２意匠生成部５２は、特定の分光分布の可視光を放出する。この第２意匠生成部５２から放出される可視光の分光分布、つまり、可視光の色は、第２意匠生成部５２を構成する蛍光インキなどの材料の種類により決定される。一方、第１光源２１から発せられた第１分光分布の光（可視光を中心とする光）の一部に相当する第１意匠層４０からの画像光は、第２意匠生成部５２で吸収されず、そのまま透過することになる。
【００５６】
図示された例では、第２意匠生成部５２は、３つの第２意匠生成部要素５２Ａ、５２Ｂ及び５２Ｃを有している。この３つの第２意匠生成部要素５２Ａ、５２Ｂ及び５２Ｃは、互いに異なる分光分布の可視光を放出するように構成されている。つまり、第２意匠生成部要素５２Ａ、５２Ｂ及び５２Ｃは、互いに異なる蛍光特性を有している。そのため、第２光源２２から発せられた第２分光分布の光（不可視光を中心とする光）に含まれる特定波長の不可視光を吸収した第２意匠生成部５２は、第２意匠生成部要素５２Ａ、５２Ｂ及び５２Ｃのそれぞれから互いに異なる色を有する光を放出することになる。このようにして放出された光が、第２意匠層５０からの第２画像光となる。
【００５７】
第２意匠非生成部５３は、第２基材部５１における第２意匠生成部５２が形成されていない部分である。図示された例では、第２意匠非生成部５３は、第２意匠生成部５２の非形成部であって、第２基材部５１が剥き出しになった空間である。しかし、第２意匠非生成部５３は、第２分光分布を有する光を吸収する材料又はその他の材料により構成されたものであってもよい。このような構成は、第２分光分布の光（不可視光を中心とする光）の外部への漏れが抑制されるという利点を有している。このような第２意匠非生成部５３は、例えば、公知の紫外線吸収剤、紫外線散乱剤、赤外線吸収剤又は赤外線反射剤が配合されたインキを適宜の方法で印刷することにより構成される。
【００５８】
このように、第２意匠層５０は、互いに異なる蛍光特性を有する複数の第２意匠生成部要素５２Ａ、５２Ｂ及び５２Ｃからなる第２意匠生成部を適宜配置することにより、任意の色パターンを有する第２意匠Ｄ２を生成することができるものとなっている。
【００５９】
図６から図９は、第１意匠層４０及び第２意匠層５０の別の構成例を示す縦断面図であり、図３のＢ−Ｂ断面及びＢａ−Ｂａ断面に対応する領域を示している。
【００６０】
図３から図５に示されている第１意匠層４０及び第２意匠層５０は、それぞれ第１基材部４１及び第２基材部５１を有しているが、本発明の第１意匠層４０及び第２意匠層５０は、図６から図９に示すように、第１基材部４１及び第２基材部５１の一方又は両方を有さないものであってもよい。
【００６１】
図６に示すように、第１意匠層４０及び第２意匠層５０は、第１意匠層４０と第２意匠層５０とで共通の基材部４１，５１を用い、その基材部４１，５１の背面側に第１意匠生成部４２及び第１意匠非生成部４３を積層し、その基材部の正面側に第２意匠生成部５２を積層したものであってもよい。
【００６２】
図７に示すように、第１意匠層４０及び第２意匠層５０は、第２意匠層５０において、第２基材部５１を用いずに、第１意匠層４０の第１意匠生成部４２及び第１意匠非生成部４３の上に第２意匠生成部５２を積層したものであってもよい。
【００６３】
図８に示すように、第１意匠層４０及び第２意匠層５０は、第１基材部４１を用いずに、第２基材部５１の背面側に第２意匠生成部５２を積層し、その背面側に第１意匠生成部４２及び第１意匠非生成部４３を積層したものであってもよい。
【００６４】
図９に示すように、第１意匠層４０及び第２意匠層５０は、第１基材部４１及び第２基材部５１を用いずに、基礎意匠層６０の背面側に第２意匠生成部５２を積層し、その背面側に第１意匠生成部４２及び第１意匠非生成部４３を積層したものであってもよい。
【００６５】
図６から図９に示す構成のような第１基材部４１及び第２基材部５１の一方又はその両方を有さない構成とすることにより、基材部の数を少なくすることができる。また、これらの構成では、第１光源２１及び第２光源２２からの光と第１画像光及び第２画像光とが通過する部材が少なくなることから、第１光源２１及び第２光源２２からの光の利用効率がより高いものとなる。
【００６６】
図１０は、本実施形態の表示装置１０の基礎意匠層６０及び光学調整層７０を示す平面図である。図１１は、本実施形態の表示装置１０の基礎意匠層６０及び光学調整層７０を示す縦断面図であり、図１０のＣ−Ｃ断面を示している。
【００６７】
基礎意匠層６０は、基礎意匠Ｄ０が形成された層であり、フィルム状の基材部６１（以下、「第３基材部」という。）と、第３基材部６１上に積層された絵柄部６２と、絵柄部６２上に積層された遮蔽部６３と、絵柄部６２及び遮蔽部６３の非形成部である光透過部６４と、を有している。光透過部６４は、平面視において（つまり、表示面１０ａの法線方向からの観察において）、絵柄部６２の中に分散して配置されている。図示された例では、基礎意匠層６０の第３基材部６１は、光学調整層７０を兼ねている。つまり、光学調整層７０を基礎意匠層６０の第３基材部６１としている。
【００６８】
第３基材部６１は、第１意匠層４０及び第２意匠層５０からの第１画像光及び第２画像光を透過するフィルム状の部材であり、第３基材部６１に積層された絵柄部６２及び遮蔽部６３を適切に支持する。第３基材部６１としては、第１意匠層４０及び第２意匠層５０からの第１画像光及び第２画像光を透過し、絵柄部６２及び遮蔽部６３を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン、アクリロニトリル−スチレン−ブタジエン共重合体、メタクリル酸メチル−アクリロニトリル−ブタジエン−スチレン共重合体等を挙げることができる。なお、第３基材部６１は第１意匠層４０及び第２意匠層５０からの第１画像光及び第２画像光を透過させるものであるが、第１意匠Ｄ１及び第２意匠Ｄ２の色パターンの多様性の観点からは、第３基材部６１は、可視光のすべての波長領域を透過させる透明なものであることが好ましい。
【００６９】
絵柄部６２は、木目調、大理石調、幾何学模様、カーボン調、ストライプ、水玉、単色などの任意の絵柄の基礎意匠Ｄ０が形成された部分である。このような絵柄部６２は、例えば、公知の染料又は顔料などの着色剤を含むインクを第３基材部６１上にグラビア、フレキソ、スクリーン、インクジェット等の適宜の方法で印刷することにより形成される。
【００７０】
遮蔽部６３は、可視光を遮蔽する部分である。この遮蔽部６３は、第２意匠層５０と基礎意匠層６０の絵柄部６２との間に配置されており、第２意匠層５０の側から絵柄部６２を覆っている。遮蔽部６３は、第１意匠層４０及び第２意匠層５０からの第１画像光及び第２画像光が絵柄部６２に入射しないよう、光を吸収する機能を有している。遮蔽部６３は、例えば光吸収粒子をバインダー樹脂中に含み得る。光吸収粒子としては、カーボンブラックやチタンブラック等の黒色顔料を例示することができる。
【００７１】
基礎意匠層６０は、遮蔽部６３を有さないものであってもよい。しかし、遮蔽部６３が存在することにより、第１画像光及び第２画像光が絵柄部６２へ入射することが妨げられ、絵柄部６２によって表される意匠と絵柄部６２を透過した第１画像光及び第２画像光とが混合して観察されることを防止することができる。
【００７２】
光透過部６４は、平面視において（つまり、基礎意匠層６０の法線方向からの観察において）、絵柄部６２及び遮蔽部６３の非形成部であり、第１意匠層４０及び第２意匠層５０からの第１画像光及び第２画像光を透過させることができる部分である。このような光透過部６４は、例えば、レーザー技術又はフォトリソグラフィー技術を用いて形成される。
【００７３】
図１２は、基礎意匠層６０及び光学調整層７０の別の構成例を示す縦断面図であり、図１０のＣ−Ｃ断面を示している。
【００７４】
光透過部６４は図１１のように空隙であってもよいが、図１２に示すように、透明樹脂層６５によって埋められていてよい。透明樹脂層６５はコーティング等の手段により、基礎意匠層６０の背面側に絵柄部６２及び遮蔽部６３並びに光透過部６４を覆うように設けることができる。透明樹脂層６５の材料は、第１意匠層４０及び第２意匠層５０からの第１画像光及び第２画像光を透過するものであればいかなるものでもよいが、例えば、ポリ酢酸ビニル、ポリ塩化ビニル、ポリウレタン、ポリメタクリル酸メチル、あるいはこれらの共重合体等を挙げることができる。また、熱、光、紫外線又は電子線等の活性エネルギー線によって重合、架橋する樹脂であってもよく、例えばウレタンアクリレート、ポリアクリルアクリレート、ポリエステルアクリレート、エポキシアクリレート、ビニルエステル、オキセタン化合物等を挙げることができる。
【００７５】
図１０に示された例では、基礎意匠層６０は、平面視において、同一の大きさの円形状の光透過部６４が正方格子状に配置されている。一例として、直径８０μｍの円形状の光透過部６４を正方格子状に１６０μｍのピッチ間隔で配置することが考えられ、このときの基礎意匠層６０の開口率は約２０％である。なお、基礎意匠層６０の開口率は、基礎意匠層６０の法線方向からの観察において、基礎意匠層６０のうちの光透過部６４が占める面積の割合であって、（開口率）＝（光透過部６４の面積の合計）／（（絵柄部６２の面積の合計）＋（光透過部６４の面積の合計））の式を用いて算出される。
【００７６】
基礎意匠層６０の開口率は、表示装置１０がＯＦＦの状態（つまり、第１光源２１及び第２光源２２がともにＯＦＦの状態）において、基礎意匠層６０の絵柄部６２の意匠を観察でき、表示装置１０がＯＮの状態（つまり、第１光源２１及び第２光源２２の少なくとも１つがＯＮの状態）において、表示装置１０の第１意匠層４０又は第２意匠層５０からの第１画像光及び第２画像光を観察できるように設定される。この観点から、基礎意匠層６０の開口率は、５％以上、５０％以下とするのが好ましく、１０％以上、３０％以下とするのがさらに好ましい。
【００７７】
それぞれの光透過部６４の間の距離は、表示装置１０がＯＦＦの状態において、絵柄部６２の意匠がよりシャープに観察され、表示装置１０がＯＮの状態において、第１意匠層４０又は第２意匠層５０からの第１画像光及び第２画像光が分離して観察されにくくなるように設定される。本件出願人らの研究の結果、光透過部６４の間の距離を一定値以上とすることにより、絵柄部６２の意匠がよりシャープに観察されるようになり、光透過部６４の間の距離を一定値以下にすることにより、第１画像光及び第２画像光が分離して観察されにくくなることが見いだされている。この観点から、それぞれの光透過部６４の間の距離は、５０μｍ以上、４００μｍ以下とするのが好ましく、８０μｍ以上、３００μｍ以下とするのがさらに好ましい。
【００７８】
図１０に示されている光透過部２４は、平面視において円形状であるが、本発明の光透過部６４は、円形状のものでなくてもよい。しかし、本件出願人らの研究の結果、平面視における単位面積当たりの光透過部６４のエッジ長が短いほど、第１画像光及び第２画像光の散乱が抑えられ、画像の劣化も抑えられることが見いだされている。そして、同じ面積の図形の中では、円が最も短い周囲長を有する。そのため、光透過部６４は、平面視において円形状であるものが好ましい。
【００７９】
図１０に示されている光透過部６４は、平面視において正方格子状に配列されたものであるが、本発明の光透過部６４は、正方格子状に配置されたものでなくてもよく、さらに、格子状に配列されたものでなくてもよい。しかし、同一の形状及び同一の大きさの光透過部６４が一定の格子間隔を有する格子状に形成されている場合には、第１意匠層４０及び第２意匠層５０からの第１画像光及び第２画像光が均一に透過することから、第１画像光及び第２画像光の明るさのムラが生じにくくなる。そのため、同一の形状及び同一の大きさの光透過部６４が一定の格子間隔を有する格子状に形成されていることが好ましい。一定の格子間隔を有する格子状の一例として、正方格子状のほか、４５°千鳥格子状、６０°千鳥格子状などが挙げられる。
【００８０】
本実施形態の光透過部６４は、絵柄部６２の非形成部として構成されているが、本発明の光透過部６４は、このようなものに限定されず、第１意匠層４０及び第２意匠層５０からの第１画像光及び第２画像光を光透過部６４以外の領域よりも透過するものであればよい。例えば、光透過部６４は、絵柄部６２の層の厚さを他の部分よりも薄くした領域により構成されたもの、又は、絵柄部６２の材料として他の部分と吸光特性が異なるものが用いられた領域により構成されたものであってもよい。ただし、第１意匠Ｄ１及び第２意匠Ｄ２の表示の明確性の観点から、光透過部６４は、絵柄部６２及び遮蔽部６３の非形成部として構成されたものが好ましい。
【００８１】
光学調整層７０は、主に第２分光分布の光（不可視光を中心とする光）を吸収するための層であり、第１意匠層４０及び第２意匠層５０からの第１画像光及び第２画像光を透過し、第２分光分布の光（不可視光を中心とする光）を吸収する層である。このような光学調整層７０は、例えば、公知の紫外線吸収剤、紫外線散乱剤、赤外線吸収剤又は赤外線反射剤が配合された透明のフィルムにより構成される。なお、光学調整層７０は第１意匠層４０及び第２意匠層５０からの第１画像光及び第２画像光を透過させるものであるが、第１意匠Ｄ１及び第２意匠Ｄ２の色パターンの多様性の観点からは、光学調整層７０は、可視光の全ての波長領域を透過させる透明なものであることが好ましい。
【００８２】
この光学調整層７０により、外部からの不可視光の侵入が抑制されるとともに、第２光源２２から発せられた第２分光分布の光（不可視光を中心とする光）の外部への漏れが抑制される。本実施形態の光学調整層７０は、基礎意匠層６０の正面側に配置されているが、本発明の光学調整層７０は、そのようなものに限定されず、基礎意匠層６０の背面側であって、第２意匠層５０の正面側に配置されてもよい。このような配置においては、前述のとおり、第２意匠層５０の第２基材部５１を、光学調整層７０を兼ねるものとすることができる。
【００８３】
図１３は、基礎意匠層６０及び光学調整層７０の別の構成例を示す縦断面図であり、図１０のＣ−Ｃ断面を示している。
【００８４】
図１１及び図１２に示す例における基礎意匠層６０は、第３基材部６１の背面側に絵柄部６２及び遮蔽部６３が順次積層されたものであるが、本発明の基礎意匠層６０は、図１３に示すように、第３基材部６１の正面側に遮蔽部６３及び絵柄部６２が順次積層されたものであってもよい。この場合、光学調整層７０は、基礎意匠層６０の第３基材部６１とは別の部材として設けられることになる。
【００８５】
この光学調整層７０は、基礎意匠層６０の絵柄部６２及び遮蔽部６３の上に直接積層されたものであってもよいし、図１３に示すように、基礎意匠層６０の正面側に絵柄部６２及び遮蔽部６３並びに光透過部６４を埋める透明樹脂層６５をコーティング等により設け、この透明樹脂層６５の正面側に積層されたものであってもよい。また、この透明樹脂層６５は、公知の紫外線吸収剤、紫外線散乱剤、赤外線吸収剤又は赤外線反射剤等を含むものとすることで、光学調整層７０としての機能を兼ねたものとすることができる。透明樹脂層６５の材料は、第１意匠層４０及び第２意匠層５０からの第１画像光及び第２画像光を透過するものであればいかなるものでもよいが、例えば、ポリ酢酸ビニル、ポリ塩化ビニル、ポリウレタン、ポリメタクリル酸メチル、あるいはこれらの共重合体等を挙げることができる。また、熱、光、紫外線又は電子線等の活性エネルギー線によって重合、架橋する樹脂であってもよく、例えばウレタンアクリレート、ポリアクリルアクリレート、ポリエステルアクリレート、エポキシアクリレート、ビニルエステル、オキセタン化合物等を挙げることができる。
【００８６】
以上のとおり、本実施形態の表示装置１０は、簡素な構成により、任意の色パターンを有する異なる意匠を切り替えて表示することができるものとなっている。また、本実施形態の表示装置１０は、蛍光インキを用いているので、第２意匠Ｄ２の視認性に優れたものとなっている。また、本実施形態の表示装置１０は、表示面１０ａにスモークを設ける必要がないことから、第１意匠Ｄ１及び第２意匠Ｄ２の表示を明るくすることが可能である。さらに、本実施形態の表示装置１０は、表示装置１０がＯＦＦのときに表示装置１０の存在を感じさせない意匠性及び機能性を有するものとなっている。
【００８７】
図１４は、変形例の表示装置１０を概略的に示す斜視図である。
【００８８】
変形例の表示装置１０は、平面視において、第２意匠生成部５２が第１意匠生成部４２の内側の領域内に含まれることと、第１意匠層４０の第１意匠生成部４２が第１分光分布の光（可視光を中心とする光）の全部を透過させるものであること（つまり、第１光源２１から発せられた光の色をそのまま第１意匠Ｄ１の色とするものであること）と、を特徴としている。変形例の表示装置１０は、この第１意匠層４０及び第２意匠層５０の構成以外は、本実施形態の表示装置１０と同じである。  
【００８９】
図１５Ａから図１５Ｄは、変形例の表示装置１０の表示パターンを示す平面図である。
【００９０】
図１５Ａに示すように、第１光源２１及び第２光源２２がともにＯＦＦのときは、表示装置１０の表示パターンは、任意の色パターンを有する基礎意匠Ｄ０のみが表示されたものとなる。
【００９１】
図１５Ｂに示すように、第１光源２１がＯＮで第２光源２２がＯＦＦのときは、表示装置１０の表示パターンは、基礎意匠Ｄ０の上に、第１光源２１の第１分光分布の光の色を有する第１意匠Ｄ１が表示されたものとなる。
【００９２】
図１５Ｃに示すように、第１光源２１がＯＦＦで第２光源２２がＯＮのときは、表示装置１０の表示パターンは、基礎意匠Ｄ０の上に、第１意匠Ｄ１と互いに重なる共通の形状であって、任意の色パターンを有する第２意匠Ｄ２が表示されたものとなる。
【００９３】
図１５Ｄに示すように、第１光源２１及び第２光源２２がともにＯＮのときは、表示装置１０の表示パターンは、基礎意匠Ｄ０の上に、第１意匠Ｄ１と第２意匠Ｄ２とが重なった意匠が表示されたものとなる。この第１意匠Ｄ１と第２意匠Ｄ２とが重なった意匠は、第２意匠Ｄ２の色パターンが、第１光源２１の第１分光分布の光によって変調されたものとなる。
【００９４】
図１６は、変形例の表示装置１０を概略的に示す分解斜視図である。図１７は、変形例の表示装置１０の第１意匠層４０及び第２意匠層５０を示す縦断面図であり、図１６のＤ−Ｄ断面を示している。
【００９５】
第１意匠層４０の第１意匠生成部４２は、第１分光分布の光（可視光を中心とする光）の全部を透過させるものであり、第１意匠非生成部４３の非形成部として形成されている。そして、第２意匠層５０の第２意匠生成部５２は、この第１意匠非生成部４３の非形成部内に位置している。つまり、変形例の第１意匠層４０及び第２意匠層５０は、第１意匠非生成部４３と第２意匠生成部とが、領域を分けて基準面内（つまり、ＸＹ平面内）の方向に並んで配置された層として構成されている。この場合においては、第１意匠非生成部５３は、第２分光分布の光（不可視光を中心とする光）を透過するものでなくてもよい。
【００９６】
この変形例のように、本発明の第１意匠層４０及び第２意匠層５０は、基準面内の方向に並んで配置された層として構成されたものであってもよい。さらに、この変形例のように、平面視において第２意匠生成部５２が第１意匠生成部４２の内側の領域内に含まれ、且つ、第１意匠生成部４２が第１分光分布の光（可視光を中心とする光）の全部を透過させるものである場合には、第２意匠層５０は、第１意匠層４０の背面側に配置されていてもよい。そして、この場合には、第１意匠非生成部５３は、第２分光分布の光（不可視光を中心とする光）を透過するものでなくてもよい。
【００９７】
以上で説明したように、本実施形態の加飾シート８０及び表示装置１０は、意匠性及び機能性に優れたものとなる。
【００９８】
以上、本発明の実施形態の一例について説明したが、本発明の加飾シート８０及び表示装置１０は本実施形態に限定されるものではない。本発明の加飾シート８０及び表示装置１０は、その他の様々な形態で実施されることが可能であり、発明の要旨を逸脱しない範囲で、種々の省略、置き換え、変更を行うことができる。
【００９９】
本実施形態の表示装置１０は、第１意匠層４０、第２意匠層５０、基礎意匠層６０及び光学調整層７０がそれぞれ密着して配置されているが、本発明の表示装置１０は、このようなものに限定されず、第１意匠層４０、第２意匠層５０、基礎意匠層６０及び光学調整層７０の全部又は一部が離間されて配置されたものであってもよい。また、本実施形態の加飾シート８０は、第１意匠層４０、第２意匠層５０、基礎意匠層６０及び光学調整層７０がそれぞれ密着して配置されているが、本発明の加飾シート８０は、このようなものに限定されず、それぞれの層のいずれかにパネル部材が配置されて、パネルとして形成されたものであってもよい。
【０１００】
本実施形態の基礎意匠層６０は、絵柄部６２内に分散配置された光透過部６４を有するものであるが、本発明の基礎意匠層６０は、このようなものに限定されず、絵柄部６２内に分散配置された光透過部６４を有さないものであってもよい。本発明の基礎意匠層６０は、遮蔽部６３及び光透過部６４を有さず、絵柄部６２の全体が、第１意匠層４０の第１意匠生成部４２及び第１意匠非生成部４３を観察不能な程度に遮蔽し、且つ、第１意匠層４０及び第２意匠層５０からの第１画像光及び第２画像光を観察可能な程度に透過するように構成されたものであってもよい。ただし、第１意匠層４０及び第２意匠層５０からの画像光の視認性などの観点から、基礎意匠層６０は、本実施形態のように、絵柄部６２内に分散配置された光透過部６４を有するものが好ましい。
【０１０１】
本実施形態の第２意匠層５０は、基礎意匠層６０の背面側に配置されているが、本発明の第２意匠層５０は、このようなものに限定されず、基礎意匠層６０の正面側に配置されたものであってもよい。ただし、外部の不可視光の影響を抑える観点から、第２意匠層５０は、基礎意匠層６０の背面側、且つ、第１意匠層４０の正面側に配置されたものが好ましい。
【０１０２】
本実施形態の加飾シート８０及び表示装置１０は、基礎意匠層６０を有するものであるが、本発明の加飾シート８０及び表示装置１０は、そのようなものに限定されず、基礎意匠層６０を有さないもであってもよい。但し、表示装置１０の存在を感じさせないような意匠性及び機能性の観点から、本発明の加飾シート８０及び表示装置１０は、基礎意匠層６０を有するものであることが好ましい。
【０１０３】
本実施形態の加飾シート８０及び表示装置１０は、光学調整層７０を有するものであるが、本発明の加飾シート８０及び表示装置１０は、そのようなものに限定されず、光学調整層７０を有さないもであってもよい。但し、外部からの不可視光の侵入及び第２光源２２から発せられた不可視光の外部への漏れの抑制の観点から、本発明の加飾シート８０及び表示装置１０は、光学調整層７０を有するものであることが好ましい。
【符号の説明】
【０１０４】
１０  表示装置
１０ａ  表示面
２１  第１光源
２２  第２光源
３０  導光板
４０  第１意匠層
４１  第１基材部
４２  第１意匠生成部
４２Ａ、４２Ｂ  第１意匠生成部要素
４３  第１意匠非生成部
５０  第２意匠層
５１  第２基材部
５２  第２意匠生成部
５２Ａ、５２Ｂ、５２Ｃ  第２意匠生成部要素
５３  第２意匠非生成部
６０  基礎意匠層
６１  第３基材部（光学調整層）
６２  絵柄部
６３  遮蔽部
６４  光透過部
６５  透明樹脂層
７０  光学調整層
８０  加飾シート
Ｄ０  基礎意匠
Ｄ１  第１意匠
Ｄ２  第２意匠
【図１】
2020154047.tif 000003
【図２Ａ】
2020154047.tif 000004
【図２Ｂ】
2020154047.tif 000005
【図２Ｃ】
2020154047.tif 000006
【図２Ｄ】
2020154047.tif 000007
【図３】
2020154047.tif 000008
【図４】
2020154047.tif 000009
【図５】
2020154047.tif 000010
【図６】
2020154047.tif 000011
【図７】
2020154047.tif 000012
【図８】
2020154047.tif 000013
【図９】
2020154047.tif 000014
【図１０】
2020154047.tif 000015
【図１１】
2020154047.tif 000016
【図１２】
2020154047.tif 000017
【図１３】
2020154047.tif 000018
【図１４】
2020154047.tif 000019
【図１５Ａ】
2020154047.tif 000020
【図１５Ｂ】
2020154047.tif 000021
【図１５Ｃ】
2020154047.tif 000022
【図１５Ｄ】
2020154047.tif 000023
【図１６】
2020154047.tif 000024
【図１７】
2020154047.tif 000025